(57)【要約】【課題】ユーザー毎に最適化された（パーソナライズされた）地図情報を提供する。【解決手段】通信端末装置１の要請形成部１０９は、ユーザーからの指示入力に応じて、当該ユーザーの個人条件情報を含む地図提供要請を形成し、無線通信部１０１を通じて地図提供サーバ３に送信する。地図提供サーバ３は、要請受付部３０５を通じて通信端末装置１からの地図提供要請を受け付け、条件特定部３０６が、地図提供要請に含まれる個人条件情報と記憶装置３０３の地図作成条件テーブルに基づいて、地図作成条件を特定する。特定された地図作成条件に基づいて、地図作成部３０７が、地図ＤＢ３０４の地図情報を用いて、パーソナライズされた地図情報を形成し、これを通信端末装置１に送信する。【選択図】図１
2014021177.tif 000002
【特許請求の範囲】
【請求項１】
ユーザーからの指示入力に応じて、ユーザーの個人条件情報を含む地図提供要請を形成する要請形成手段と、
前記地図提供要請に含まれる前記個人条件情報に基づき、地図作成条件を特定する条件特定手段と、
特定された前記地図作成条件に従って、所定の地図データベースの地図情報から不要な地図情報を削除して、個人用の地図情報を作成する地図作成手段と、
前記地図作成手段で作成された個人用の地図情報に応じた地図を出力する出力手段と
を備えることを特徴とする個人用地図作成装置。
【請求項２】
請求項１に記載の個人用地図作成装置であって、
前記個人条件情報は、個人属性情報と、個人嗜好情報と、時間に関する情報と場所に関する情報と場合に関する情報とからなるＴＰＯ情報との内の１以上を含むことを特徴とする個人用地図作成装置。
【請求項３】
請求項１または請求項２に記載の個人用地図作成装置であって、
前記地図作成手段は、前記地図作成条件に従って、アレンジやデフォルメ等の必要な処理を施した個人用の地図情報を作成することを特徴とする個人用地図作成装置。
【請求項４】
請求項１、請求項２または請求項３に記載の個人用地図作成装置であって、
通信端末装置と地図提供装置とがネットワークを通じて接続されて構成されており、
前記通信端末装置は、
前記要請形成手段と、
前記要請形成手段で形成された前記地図提供要請を前記地図提供装置に送信する要請送信手段と、
前記地図提供装置から送信されてくる前記個人用地図を受信する地図受信手段と、
前記個人用地図を出力する出力手段と
を備え、
前記地図提供装置は、
前記条件特定手段と、
前記地図作成手段と、
前記通信端末装置からの前記地図提供要請を受信する要請受信手段と、
前記地図作成手段で形成された前記個人用地図を要請元の前記通信端末装置に送信する地図送信手段と
を備えることを特徴とする個人用地図作成装置。
【請求項５】
請求項１、請求項２または請求項３に記載の個人用地図作成装置であって、
通信端末装置と地図提供装置とがネットワークを通じて接続されて構成されており、
前記通信端末装置は、
前記要請形成手段と、
前記条件特定手段と、
前記地図作成手段と、
前記出力手段と、
目的とする地図データの提供要請を前記地図提供装置に送信する要請送信手段と、
前記地図提供装置から送信されてくる目的とする地図データを受信する地図受信手段と
を備え、
前記地図作成手段は、前記地図受信手段を通じて受信した前記地図データから、前記地図作成条件に従って不要な地図データを削除して、個人用地図を作成することを特徴とする個人用地図作成装置。
【請求項６】
通信端末装置と地図提供装置とがネットワークを通じて接続されて構成される個人用地図作成装置の前記通信端末装置に搭載されたコンピュータで実行される個人用地図取得プログラムであって、
要請形成手段が、ユーザーからの指示入力に応じて、ユーザーの個人条件情報を含む地図提供要請を形成する要請形成ステップと、
前記要請形成ステップで形成した前記地図提供要請を、要請送信手段を通じて前記地図提供装置に送信する要請送信ステップと、
前記地図提供装置から送信されてくる前記個人用地図を、地図受信手段を通じて受信する地図受信ステップと、
受信した前記個人用地図を、出力手段を通じて出力する出力ステップと
を実行することを特徴とする個人用地図取得プログラム。
【請求項７】
通信端末装置と地図提供装置とがネットワークを通じて接続されて構成される個人用地図作成装置の前記地図提供装置に搭載されたコンピュータで実行される個人用地図提供プログラムであって、
前記通信端末装置からのユーザーの個人条件情報を含む地図提供要請を、要請受信手段を通じて受信する要請受信ステップと、
前記地図提供要請を受け付けて、これに含まれる前記個人条件情報に基づき、条件特定手段が地図作成条件を特定する条件特定ステップと、
地図作成手段が、所定の地図データベースの地図情報から、前記地図作成条件に従って不要な地図情報を削除して、個人用の地図情報を作成する地図作成ステップと、
前記地図作成ステップで形成した前記個人用の地図情報を、地図送信手段を通じて要請元の前記通信端末装置に送信する地図送信ステップと
を実行することを特徴とする個人用地図提供プログラム。
【請求項８】
通信端末装置と地図提供装置とがネットワークを通じて接続されて構成される個人用地図作成装置の前記通信端末装置に搭載されたコンピュータで実行される個人用地図取得プログラムであって、
要請形成手段が、ユーザーからの指示入力に応じて、ユーザーの個人条件情報を含む地図提供要請を形成する要請形成ステップと、
前記地図提供要請を受け付けて、これに含まれる前記個人条件情報に基づき、条件特定手段が地図作成条件を特定する条件特定ステップと、
要請送信手段が、目的とする地図情報の提供要請を前記地図提供装置に送信する要請送信ステップと、
前記地図提供装置から送信されてくる目的とする地図情報を、地図受信手段が受信する地図受信ステップと
地図作成手段が、受信した前記地図情報から、前記地図作成条件に従って不要な地図情報を削除して、個人用の地図情報を作成する地図作成ステップと
を実行することを特徴とする個人用地図作成プログラム。
【発明の詳細な説明】
【技術分野】
【０００１】
この発明は、個々人が見やすいと感じる地図を提供するための装置、プログラムに関する。
【背景技術】
【０００２】
詳細で正確な地図が提供されるようになり、様々なところで活用されている。例えば、パーソナルコンピュータを通じてインターネット上の地図サーバにアクセスし、目的とする場所の周辺地図を取得したり、所定のスタート位置から目的地までの経路を調べるために地図情報を取得したりすることが行われている。また、スマートフォンなどと呼ばれる高機能携帯電話端末やタブレット端末など呼ばれる携帯情報端末などを通じても、同様に詳細な地図情報を利用することができる。
【０００３】
しかし、地図サーバが提供する地図情報は、広域かつ詳細な情報を網羅するものである。このため、地図上に表される情報が詳細であるが故に、提供された地図が却って見難くなっている場合もあると考えられる。そこで、後に記す特許文献１には、目的とする地域の略地図を簡単に形成できるようにする地図情報生成装置及び地図情報生成方法に関する発明が開示されている。特許文献１に記載の発明は、所定の２点間の経路を含む略地図を形成するものであり、様々な情報が盛り込まれた一般的な地図に比べて見やすい略地図を生成できる点で有用である。
【先行技術文献】
【特許文献】
【０００４】
【特許文献１】特開平１１−２６５１４２号公報
【発明の概要】
【発明が解決しようとする課題】
【０００５】
ところで、上述した特許文献１に記載された発明は、主に、出力線分を制限して略地図を形成するものであり、ユーザーの個々の事情までは考慮されていない。本来、地図情報は、それを利用するユーザー毎に異なるものである。例えば、ユーザーの属性情報（性別、年齢、弱視、色弱、近視、遠視、老眼等の情報）に応じて、地図に表示すべき情報や表示態様は異なる。また、ユーザーの嗜好情報（色の好み、食の好み、スポーツの好み、その他の趣味嗜好等の情報）によっても、地図に表示すべき情報や表示態様は異なる。もちろん、地図を利用する時間（Time）、場所（Place）、場合（Occasion）によっても、地図に表示すべき情報や表示態様は異なる。
【０００６】
以上のことに鑑み、この発明は、ユーザーの手を煩わせることなく、ユーザー毎に最適化された（パーソナライズされた）地図情報を提供することを目的とする。
【課題を解決するための手段】
【０００７】
上記課題を解決するため、請求項１に記載の発明の個人用地図作成装置は、
ユーザーからの指示入力に応じて、ユーザーの個人条件情報を含む地図提供要請を形成する要請形成手段と、
前記地図提供要請に含まれる前記個人条件情報に基づき、地図作成条件を特定する条件特定手段と、
特定された前記地図作成条件に従って、所定の地図データベースの地図情報から不要な地図情報を削除して、個人用の地図情報を作成する地図作成手段と、
前記地図作成手段で作成された個人用の地図情報に応じた地図を出力する出力手段と
を備えることを特徴とする。
【０００８】
この請求項１に記載の発明の個人用地図作成装置によれば、要請形成手段は、ユーザーからの指示入力に応じて、当該ユーザーの個人条件情報を含む地図提供要請を形成する。条件特定手段は、形成された地図提供要請に含まれる個人条件情報に基づいて、地図作成条件を特定する。この特定された地図作成条件に従って、地図作成手段が、所定の地図データベースの地図情報から不要な地図情報を削除すると共に、例えば表示色の調整などの必要な処理して個人用の地図情報を作成する。この作成された個人用の地図情報に応じた地図が出力手段を通じて出力されてユーザーに提供される。
【０００９】
これにより、ユーザーの個人条件情報に応じて、当該ユーザー用にパーソナライズされた個人用地図を作成して、当該ユーザーに提供することができる。もちろん、ユーザーの手を煩わせたり、パーソナライズされた地図の作成に時間が掛かったりすることもない。
【発明の効果】
【００１０】
この発明によれば、ユーザーの手を煩わせることなく、ユーザー毎に最適化された（パーソナライズされた）地図情報を作成し、これをユーザーに提供できる。
【図面の簡単な説明】
【００１１】
【図１】個人用地図作成装置の一実施の形態を説明するためのブロック図である。
【図２】個人属性情報についての地図作成条件テーブルを説明するための図である。
【図３】個人嗜好情報についての地図作成条件テーブルを説明するための図である。
【図４】ＴＰＯ情報についての地図作成条件テーブルを説明するための図である。
【図５】携帯通信端末１で用いられる入力画面の例を説明するための図である。
【図６】携帯通信端末１の表示部１０７に表示される地図の表示例について説明するための図である。
【図７】携帯通信端末１の表示部１０７に表示される地図の表示例について説明するための図である。
【図８】携帯通信端末１で実行される地図取得処理について説明するためのフローチャートである。
【図９】地図提供サーバ３で実行されるパーソナライズされた地図の提供処理について説明するためのフローチャートである。
【発明を実施するための形態】
【００１２】
以下、図を参照しながら、この発明の装置、プログラムの一実施の形態について説明する。この発明の個人用地図作成装置は、例えばパーソナルコンピュータを用いてスタンドアロンの装置として構成することもできるし、ネットワークを通じて接続される通信端末と地図提供サーバとにより構成することもできる。そして、後者の場合、個人用地図を作成する機能を、通信端末側に設けることもできるし、地図提供サーバ側に設けることもできる。以下においては、この発明の個人用地図作成装置について、ネットワークを通じて接続される通信端末と地図提供サーバとにより構成され、個人用地図を作成する機能は地図提供サーバ側が備える場合を例にして具体的に説明する。
【００１３】
なお、個人用地図作成装置を通信端末と地図提供サーバとにより構成する場合の当該通信端末は、パーソナルコンピュータやタブレット端末などと呼ばれる携帯型情報端末や携帯電話端末など、通信機能を備えた種々の端末装置として構成することができる。しかし、以下に説明する実施の形態においては、屋外での利用をも考慮し、地図提供サーバと共に個人用地図作成装置を構成する通信端末は、スマートフォンなど呼ばれる高機能携帯電話端末を用いる場合として説明する。
【００１４】
［個人用地図作成装置の構成例］
図１は、この実施の形態の個人用地図作成装置の一実施の形態を説明するためのブロック図である。この実施の形態の個人用地図作成装置は、携帯通信端末１と地図提供サーバ３とがネットワーク２を通じて接続されて構成される。携帯通信端末１は、上述もしたように高機能携帯電話端末である。また、地図提供サーバ３は、ネットワーク２上に設けられ、地図提供サイトを通じて地図情報の提供要請を受け付けて、当該提供要請に応じた地図情報を提供するものである。また、図１において、ネットワーク２は、主にインターネットを意味するが、各通信機器等からインターネットまでを接続する、例えば、携帯電話網、固定電話網、その他、種々のＬＡＮ（Local Area Network）等を含むものである。
【００１５】
そして、携帯通信端末１は、目的とする地図情報の提供要請を形成して、ネットワーク２を通じて地図提供サーバ３に送信する。この後、携帯通信端末１は、当該提供要請に応じて、地図提供サーバ３から送信されてくる地図情報を受信し、これを表示するなどしてユーザーに提供する。一方、地図提供サーバ３は、携帯通信端末１からの提供要請に応じて、携帯通信端末１に提供する地図情報を取得し、これを要求元の携帯通信端末１に提供する。
【００１６】
そして、この実施の形態の携帯通信端末１は、携帯通信端末１のユーザーが求める地図情報の提供を受けるための個人条件情報を地図の提供要請に含めて地図提供サーバ３に送信する。この実施の形態において個人条件情報は、当該ユーザーの個人属性情報、個人嗜好情報、ＴＯＰ情報からなるである。そして、地図提供サーバ３は、携帯通信端末１からの地図の提供要請に含まれる個人条件情報に基づいて、当該ユーザーにとってパーソナライズされた地図情報を作成（形成）して提供する。このように、携帯通信端末１と地図提供サーバ３とからなるこの実施の形態の個人用地図提供装置は、個々のユーザーの個人条件情報に基づいて、ユーザー毎に最適化した（パーソナライズした）地図情報を作成して提供する。
【００１７】
［携帯通信端末１の構成例］
次に、携帯通信端末１の構成例について説明する。図１の下端側のブロック図に、携帯通信端末１の基本構成を示す。図１において、無線通信部１０１は、ネットワーク２を通じて受信した信号を自機が処理可能なデータに変換して取り込んだり、送信用の種々のデータをプロトコルに準拠した信号に変換してネットワーク２に送出したりする。
【００１８】
制御部１０２は、携帯通信端末１の各部を制御するものであり、図示しないが、ＣＰＵ（Central Processing Unit）、ＲＯＭ（Read Only Memory）、ＲＡＭ（Random access Memory）がＣＰＵバスを通じて接続されて構成されたコンピュータ装置である。また、制御部１０２は、地図情報を取得して表示する処理等を行う地図アプリケーションプログラム（以下、地図アプリという。）等の種々のアプリケーションプログラムを実行するアプリケーション実行部（図１においては、アプリ実行部と記載。）としての機能をも有する。
【００１９】
記憶装置１０３は、記録媒体として不揮発性メモリを備え、種々のアプリケーションプログラムや種々の処理により得られたデータ等の不揮発性メモリへの書込み／記録保持／読み出し／削除を行う。なお、記憶装置１０３には、携帯通信端末１のユーザーの個人属性情報と個人嗜好情報とが予め登録されている。ここで、個人属性情報は、当該ユーザーの性別、年齢、視覚特性（弱視、色弱、近視、遠視、老眼等）の他、ユーザーの性質に関する種々の情報が含まれる。また、個人嗜好情報は、当該ユーザーの色の好み、食の好み、スポーツの好み、趣味等、ユーザーの好き嫌いに関する種々の情報が含まれる。
【００２０】
操作部１０４は、携帯通信端末１に設けられたハードウェアキーからなり、ユーザーからの操作入力を受け付けて、受け付けた情報を制御部１０２に供給する。なお、操作部１０４に設けられたハードウェアキーは例えば電源のオン／オフキーや基本機能を実行するための幾つかのファンクションキー等である。時間制御部１０５は、現在年月日、現在曜日、現在時刻を管理する。ＧＰＳ部１０６およびＧＰＳアンテナ１０６Ａは、自機の現在位置を測位する。
【００２１】
なお、携帯通信端末１は、図示しないが、無線ＬＡＮ部および無線アンテナを備え、近隣のアクセスポイントを通じて無線ＬＡＮに接続し、当該無線ＬＡＮを通じて通信を行うこともできる。また、携帯通信端末１は、通信可能な複数のアクセスポイントの識別情報を、無線ＬＡＮを通じて所定のサーバ装置に送信することにより、当該サーバ装置から通信可能なアクセスポイントの位置に応じて推測される自機の現在位置の提供を受けることもできる。
【００２２】
表示部１０７は、種々の画像データや映像データの供給を受けて、これを映像信号に変換し、当該映像信号に応じた画像や映像を自己の表示画面に表示する。また、表示部１０７の表示画面に貼付されたタッチパネル１０８は、表示画面に表示される情報と共に、いわゆるソフトウェアキーを構成する。したがって、制御部１０２は、タッチパネル１０８からのユーザーの指示位置を示す情報と当該指示位置に対応する表示部１０７の表示画面上に表示された情報とに基づいて、ユーザーからの指示入力が認識できる。
【００２３】
パーソナライズ地図提供要請形成部（以下、要請形成部と記載する。）１０９は、制御部１０２で地図アプリが実行され、地図提供サーバ３にアクセスした場合に、制御部１０２の制御の下、地図提供要請を形成する。この地図提供要請は、どのような地図の提供を要請するのかを示す情報や、記憶装置１０３に記憶保持されている個人属性情報や個人嗜好情報、さらにはタッチパネル１０８を通じて入力される情報等を含む。ここで、操作部１０４を通じて入力にされる情報には、例えば、時間（Time）、場所（Place）、場合（Occasion）のそれぞれに関する情報（ＴＰＯ情報）がある。そして、要請形成部１０９は、形成した地図提供要請を、無線通信部１０１を通じて地図提供サーバ３に送信する。
【００２４】
パーソナライズ地図取得部（以下、地図取得部と記載する。）１１０は、制御部１０２の制御の下、上述した地図提供要請に応じて地図提供サーバ３から送信されて無線通信部１０１で受信された情報から出力すべき地図を形成する地図情報を取得する。地図取得部１１０で取得された地図情報は、表示部１０７に供給されて処理され、当該地図情報に応じた地図が表示部１０７に表示される。表示部１０７に表示される地図は、地図提供要請に含まれる個人属性情報、個人嗜好情報、ＴＰＯ情報に基づいて、当該携帯通信端末１のユーザーにとって、パーソナライズされたものである。なお、パーソナライズのための処理の詳細については後述する。
【００２５】
通話処理部１１１は、制御部１０２の制御の下、無線通信部１０１を通じて受信する相手先からの音声データを復号して音声信号に変換し、これを受話器としてのスピーカ１１１Ｒに供給する。また、通話処理部１１１は、送話器としてのマイクロホン１１１Ｓによって収音したユーザーの音声を、音声データに変換し、無線通信部１０１を通じて相手先に送信する。
【００２６】
このような構成を有する携帯通信端末１は、地図アプリを用いることにより、携帯通信端末１のユーザーにとってパーソナライズされた地図情報の提供を地図提供サーバ３から受けて、これを表示部１０７に表示して、ユーザーに提供する。
【００２７】
［地図提供サーバ３の構成例］
次に、地図提供サーバ３の構成例について説明する。図１の上端側のブロック図に、地図提供サーバ３の基本構成示す。図１において、通信Ｉ／Ｆ３０１は、ネットワーク２を通じて受信した信号を自機が処理可能なデータに変換して取り込んだり、送信用の種々のデータをプロトコルに準拠した信号に変換してネットワーク２に送出したりする。
【００２８】
制御部３０２は、地図提供サーバ３の各部を制御するものであり、図示しないが、ＣＰＵ、ＲＯＭ、ＲＡＭがＣＰＵバスを通じて接続されて構成されたコンピュータ装置である。記憶装置３０３は、記録媒体としてハードディスクを備え、種々のアプリケーションプログラムや種々の処理により得られたデータ等のハードディスクへの書込み／記録保持／読み出し／削除を行う。なお、記憶装置３０３のハードディスクには、携帯通信端末１のユーザーに応じた地図を形成するための地図作成条件テーブル等の必要となる情報も格納されている。
【００２９】
ここで、記憶装置３０３のハードディスクに格納されている地図作成条件テーブルの一例について説明する。図２は、個人属性情報についての地図作成条件テーブルを説明するための図であり、図３は、個人嗜好情報についての地図作成条件テーブルを説明するための図である。また、図４は、ＴＰＯ情報についての地図作成条件テーブルを説明するための図である。
【００３０】
図２に示すように、個人属性情報についての地図作成条件テーブルは、種々の個人属性情報に対して地図作成条件を対応付けて形成したものである。具体的には、図２に示すように、性別、年齢、視覚特性等に応じて、どのような地図を作成すればよいかを示す情報が登録されている。これにより、例えば、「男性」、「１９歳」、「色弱」という個人属性情報のユーザーについては、（１）女性専用施設を除外し、（２）例えば、居酒屋やバーなどの成人対象施設を除外し、（３）モノクロ表示の地図を作成するという地図作成条件が特定できる。
【００３１】
この他にも、個人属性情報についての地図作成条件テーブルには、種々の個人情報に対応する地図作成条件を登録することができる。例えば、体重や身長といった身体的特徴に対応した地図作成条件も設定できる。この場合、ユーザーの体重、身長に応じて、同じ衣料品点であっても、小さなサイズの衣料品を扱っている店舗を強調表示した地図を作成したり、逆に大きなサイズの衣料品を扱っている店舗を強調表示した地図を作成したりできる。
【００３２】
図３に示すように、個人嗜好情報についての地図作成条件テーブルは、種々の個人嗜好情報に対して地図作成条件を対応付けて形成したものである。具体的には、図３に示すように、色の好み、食の好み、スポーツの好み、趣味等に応じて、どのような地図を作成すればよいかを示す情報が登録されている。なお、より具体的には、色の好みは、「パステル、原色、濃い色、薄い色」等の情報となり、食の好みは、「和食、洋食、中華」等の情報となる。また、スポーツの好みは、「野球、サッカー、ゴルフ」等の情報となり、趣味は、「読書、音楽鑑賞、映画鑑賞、ドライブ」等の情報となる。
【００３３】
これにより、例えば、色の好みが「パステル」で、食の好みが「和食」で、スポーツの好みが「野球」で、趣味が「読書」であるという個人嗜好情報を有するユーザーの地図作成条件は次のように特定できる。この場合、（１）パステル調の色合いに調整し、（２）和食を提供する施設と、（３）野球関連施設と、（４）書店とを強調表示した地図を作成するという地図作成条件が特定できる。この他にも、種々の嗜好とそれに対応する地図作成条件を登録できる。
【００３４】
図４に示すように、ＴＯＰ情報についての地図作成条件テーブルは、種々のＴＰＯ情報に対して地図作成条件を対応付けて形成したものである。具体的には、図４に示すように、時間（Ｔ）、位置（Ｐ）、場合（Ｏ）に応じて、どのような地図を作成すればよいかを示す情報が登録されている。すなわち、時間（Ｔ）に関する情報に対しては、図４に示したように、午前５時から午後４時５９分代までは、居酒屋やバーなどを非表示とすることが登録されている。さらに、午後５時から午後１１時５９分代までは、目的により居酒屋やバー等を通常通りに表示し、また、午前０時から午前４時５９分代までは、営業中の店舗や利用可能な施設を強調表示することが登録されている。
【００３５】
また、位置（Ｐ）に関する情報に対しては、図４に示したように、「周辺検索」を行うことが指示されたときには、指示位置を中心とした所定範囲の地図を作成することが登録されている。また、図４に示したように、「ルート検索」を行うことが指示されたときには、目的地、曲がり角、目印以外を表示しないデフォルメした地図を作成することが登録されている。
【００３６】
また、場合（Ｏ）に関する情報に対しては、図４に示したように、目的や移動手段に応じて、地図作成条件が登録されている。すなわち、目的が、「ショッピング（洋服）」、…や「食事（和食）」、…である場合には、対応するジャンルの店舗や施設等以外の名称を非表示とした地図を作成することが登録されている。また、目的が「観光」である場合には、観光名所以外の名称を表示せず、また、目的が「デート」である場合にはデートスポット以外の名称を非表示とし、また、目的が「サイクリング」である場合には、自転車走行が可能な道路以外の名称を非表示とする地図を作成することが登録されている。
【００３７】
また、図４に示したように、移動手段が「徒歩」である場合には、一方通行矢印や高さ制限等の歩行者にとって意味のない表示を削除した地図を作成することが登録されている。また、移動手段が「自転車、バイク、自動車」である場合には、建物内、地下街、公園内道は表示しない地図を作成することが登録されている。また、移動手段が「バス」の場合には、バス停情報以外の名称を非表示とし、移動手段が「電車」である場合には、駅や地下鉄の入口以外の名称を非表示とする地図を作成することが登録されている。この他にも、種々のＴＰＯ情報とそれに対応する地図作成条件とを登録できる。なお、上述したように、対象となる店舗や施設以外の名称を非表示にすることが登録されている場合であっても、
地図の分かり易さの観点から目印となるランドマークの名称は、そのランドマークが対象外の店舗や施設であっても表示する。
【００３８】
これら図２〜図４に示した各種の地図作成条件テーブルは、事前に地図提供サーバ３の記憶装置に登録されている。そして、図２〜図４に示した各種の地図作成条件テーブルの登録情報と、携帯通信端末１からの地図提供要請に含まれる個人条件情報に基づいて、携帯通信端末１のユーザーにとってパーソナライズされた地図を作成するための地図作成条件を特定（設定）できる。
【００３９】
地図ＤＢ３０４は、この実施の形態においては、地図を描画するための例えばベクトルデータやラスタデータ、注記データ等の種々の地図情報（地図データ）を緯度・経度情報に対応付けて記憶保持する。具体的に、地図ＤＢ３０４に蓄積されている地図情報は、例えば、道路、鉄道、河川、山岳、施設、住宅、標識などの所定の種別毎（レイヤ毎）に形成されている。このため、不必要なレイヤの地図情報を使用しないようにすることができる。
【００４０】
また、各レイヤに含まれる種々の店舗や種々の施設、あるいは、地形上の特徴点などである種々の拠点にはいわゆるＰＯＩ（point of interest）情報と呼ばれる拠点情報も付加されている。例えば、地図上に飲食物を提供する拠点（飲食店）が存在する場合、その飲食店は、どのような飲食物を提供する店なのか、規模はどれ位なのか、どのような顧客が多いのか等の詳細情報が整えられている。これにより、不必要な種類の地図情報については選択して削除することが可能になっている。したがって、和食を提供するお店は地図上に表示するが、洋食や中華を提供するお店は地図上に表示しないといったことができる。
【００４１】
パーソナライズ地図提供要請受付部（以下、要請受付部と記載する。）３０５は、制御部３０２の制御の下、携帯通信端末１から送信されて通信Ｉ／Ｆ３０１を通じて受信した地図提供要請を受け付ける。そして、要請受付部３０５は、受け付けた地図提供要請から個人条件情報（個人属性情報、個人嗜好情報、個人のＴＰＯ情報）を抽出し、これをパーソナライズ地図作成条件特定部３０６に供給する。
【００４２】
パーソナライズ地図作成条件特定部（以下、条件特定部と記載する。）３０６は、要請受付部３０５で抽出された個人条件情報に基づいて、記憶装置３０３に保持されている上述した地図作成条件テーブルを参照し、地図作成条件を特定（設定）する。この地図作成条件は、地図提供要請を送信してきた携帯通信端末１のユーザーに応じて、どのような地図を作成すればよいかを示す情報である。条件特定部３０６は、特定した地図作成条件を、パーソナライズ地図作成部３０７に供給する。
【００４３】
パーソナライズ地図作成部（以下、地図作成部と記載する。）３０７は、条件特定部３０６からの地図作成条件に従って、地図ＤＢ３０４の地図情報を用いて、地図提供要請元のユーザーに対してパーソナライズした地図を形成するための地図情報を作成する。具体的に、地図作成部３０７は、条件特定部３０６からの地図作成条件に従って、地図ＤＢ３０４に蓄積されている地図情報から不必要な地図情報を削除し、パーソナライズした地図を形成するための地図情報を作成する。また、地図作成部３０７は、当該地図作成条件に基づいて、地図の色合いを調整するなどのアレンジ処理や地図を変形するデフォルメ処理をも行う。なお、デフォルメ処理には種々の処理があるが、地図中の目的対象を誇張したり、強調したり、省略化したりして、地図提供要請元のユーザーに適した地図を形成することを意味している。
【００４４】
このような構成を有する地図提供サーバ３は、携帯通信端末１からの地図提供要請に応じて、携帯通信端末１のユーザーにとってパーソナライズした地図を表示するための地図情報を作成して、これを携帯通信端末１に提供する。
【００４５】
［携帯通信端末１の入力画面の例と提供される地図の表示例］
次に、上述した個人用地図作成装置の携帯通信端末１において用いられる入力画面の例と、地図提供サーバ３から提供される特徴的な地図の表示例について説明する。図５は、携帯通信端末１で用いられる入力画面の例を説明するための図である。また、図６、図７は、地図提供サーバ３から提供されて携帯通信端末１の表示部１０７に表示される地図の表示例について説明するための図である。
【００４６】
地図情報の提供を受けようとする携帯通信端末１のユーザーは、タッチパネル１０８を通じて、携帯通信端末１の表示部１０７に表示されている地図アプリに対応付けられたアイコンを選択する。これにより、地図アプリが制御部１０２で実行され、地図提供サーバ３にアクセスし、地図提供サーバ３から必要な情報の提供を受けて、ユーザーからの指示入力を受け付けるための入力画面を表示部１０７の表示画面１０７Ｇに表示する。
【００４７】
この実施の形態においては、まず、図５Ａに示すような地図アプリの初期画面が、携帯通信端末１の表示部１０７に表示される。当該初期画面では、図５Ａに示すように、「１．周辺検索」と「２．ルート検索」の２つの選択項目が表示されると共に、「ＯＫ」ボタンと「終了」ボタンが表示される。選択項目である「１．周辺検索」は、周辺検索用の地図を要求する場合に選択される。また、選択項目である「２．ルート検索」は、ルート検索用の地図を要求する場合に選択される。これらの選択項目や操作ボタンに対する入力は、これらの表示位置に対応するタッチパネル１０８上に指等を接触させることにより行う。
【００４８】
そして、図５Ａに示す初期画面において、「終了」ボタンが選択された場合には、制御部１０２は地図アプリの実行を終了し、地図アプリ実行前の状態に戻る。また、選択項目である「１．周辺検索」が選択されると共に、「ＯＫ」ボタンが選択されると、制御部１０２は、図５Ｂに示す周辺検索用の入力画面を表示部１０７に表示する。当該周辺検索用の入力画面には、現在位置の表示欄、場所の入力欄、目的の入力欄、移動手段の入力欄が設けられると共に、「ＯＫ」ボタンと「終了」ボタンが表示される。
【００４９】
図５Ｂに示す周辺検索用の入力画面において、現在時刻の表示欄には、時間制御部１０５から取得される現在時刻が表示される。場所の入力欄には、例えばＧＰＳ部１０６等を通じて取得される現在位置を入力したり、住所や目的とする施設名等のテキスト情報を入力したりすることができる。この実施の形態の携帯通信端末１においては、場所の入力欄を選択すると、まず、現在位置を入力するのか、住所等をテキスト入力するのかの選択が可能なプルダウンメニューが表示され、いずれかの選択ができる。
【００５０】
そして、当該プルダウンメニューから現在位置の入力を選択した場合には、ＧＰＳ部１０６等を通じて取得される自機の現在位置が場所の入力欄に自動的に入力される。また、当該プルダウンメニューから住所等のテキスト入力を選択した場合には、表示画面１０７の場所の入力欄の下側にソフトウェアキーボードが表示され、場所の入力欄へのテキスト情報の入力ができる。
【００５１】
また、図５Ｂに示す周辺検索用の入力画面において、目的の入力欄には、プルダウンメニューを通じて選択可能にされる地図の利用目的が入力される。ここで、地図の利用目的は、図４を用いて説明したように、ショッピングのための店舗等の検索用か、食事のための店舗等の検索用か、観光用か、デート用か、サイクリング用か等の情報である。また、移動手段の入力欄には、プルダウンメニューを通じて選択可能にされる移動手段が入力される。ここで、移動手段は、図４を用いて説明したように、徒歩、自転車、バイク、自動車、バス、電車等の情報である。
【００５２】
そして、現在時刻の表示欄に現在時刻が表示され、場所、目的、移動手段の各入力欄に情報が入力された後に、「ＯＫ」ボタンが選択されると、制御部１０２は、要請形成部１０９を制御して、地図提供要請を形成し、これを地図提供サーバ３に送信する。この場合、地図提供要請には、記憶装置１０３に登録されている個人属性情報、個人嗜好情報、図５Ｂに示した入力画面を通じて入力されたＴＰＯ情報からなる個人条件情報が含められる。なお、図５Ｂに示した入力画面において、「終了」ボタンが選択された場合には、地図提供要請の形成、送信は行われず、図５Ａに示した初期画面に戻る。
【００５３】
また、図５Ａに示す初期画面において、選択項目である「２．ルート検索」が選択されると共に、「ＯＫ」ボタンが選択されると、制御部１０２は、図５Ｃに示すルート検索用の入力画面を表示部１０７に表示する。当該ルート検索用の入力画面には、出発地の入力欄、目的地の入力欄、移動手段の入力欄が設けられると共に、「ＯＫ」ボタンと「終了」ボタンが表示される。
【００５４】
図５Ｃに示すルート検索用の入力画面において、現在時刻の表示欄には、時間制御部１０５から取得される現在時刻が表示される。また、出発地の入力欄と目的地の入力欄とには、住所や目的とする施設名等のテキスト情報の入力ができる。この実施の形態の携帯通信端末１においては、出発地の入力欄や目的地の入力欄を選択すると、それらの入力欄の下側にソフトウェアキーボードが表示され、それらの入力欄へのテキスト情報の入力ができる。また、移動手段の入力欄は、図５Ｂに示した周辺検索用の入力画面における移動手段の入力欄と同様に、プルダウンメニューを通じて選択可能にされる、徒歩、自転車、バイク、自動車、バス、電車等の移動手段が入力される。
【００５５】
そして、現在時刻の表示欄に現在時刻が表示され、出発地、目的地、移動手段の各入力欄に情報が入力された後に、「ＯＫ」ボタンが選択されると、制御部１０２は、要請形成部１０９を制御して、地図提供要請を形成し、これを地図提供サーバ３に送信する。この場合にも、地図提供要請には、記憶装置１０３に登録されている個人属性情報、個人嗜好情報と、図５Ｃに示した入力画面を通じて入力されたＴＰＯ情報からなる個人条件情報が含められる。なお、図５Ｃに示した入力画面において、「終了」ボタンが選択された場合には、地図提供要請の形成、送信は行われず、図５Ａに示した初期画面に戻る。
【００５６】
そして、図５Ｂに示した周辺検索用の入力画面において、場所の入力欄にＧＰＳ部１０６からの現在位置情報が入力され、目的の入力欄には「ショッピング（雑貨）」が、移動手段の入力欄には「徒歩」が選択入力され、「ＯＫ」ボタンが選択されたとする。この場合に形成される地図提供要請に応じて、地図提供サーバ３から提供され、携帯通信端末１の表示部１０７の表示画面１０７Ｇに表示される地図は、例えば、図６Ａに示したものとなる。なお、図６Ｂは同じ現在位置において取得するようにした従来の地図を示している。
【００５７】
図６Ａに示した地図の場合には、地図の利用目的が、「ショッピング（雑貨）」であるため、★印で示した現在位置を基準にして、所定範囲内に位置する種々の雑貨店が実線により目立つように強調表示され、その他の施設は例えば点線で目立たないように表示される。また、雑貨店の近傍には、「日用品」、「台所用品」、「輸入雑貨」、「生活雑貨」といった、取り扱っている商品の種別を示す文字情報が表示され、雑貨店以外の名称等は非表示となっている。
【００５８】
そして、図６Ｂに示した全ての情報が表示される従来の地図と比較すると分かるように、図６Ａに示した地図の場合には、目的に応じた店舗（施設）の所在が一目瞭然となる。また、図６Ａに示した地図の場合、ユーザーの移動手段が徒歩であるため、車両用の一方通行を示す矢印も表示されないため、見易い地図となっている。なお、図６Ａには示さないが、ユーザーの個人属性情報や個人嗜好情報に応じて、文字の大きさや色調などを調整し、また、ＴＰＯ情報に基づいて、営業していない施設は強調表示しないなどの調整もなされた地図となる。
【００５９】
また、図５Ｃに示したルート検索用の入力画面において、出発地の入力欄に「ＪＲ○○駅」が、目的地の入力欄に「○○会館」が入力され、移動手段の入力欄には「徒歩」が選択入力されて、「ＯＫ」ボタンが選択されたとする。この場合に形成される地図提供要請に応じて地図提供サーバ３から提供され、携帯通信端末１の表示部１０７の表示画面１０７Ｇに表示される地図は、例えば、図７Ａに示したものとなる。なお、図７Ｂは従来の地図を示している。
【００６０】
図７Ａに示した地図の場合には、出発地から目的地までの経路と目印だけが強調表示されるようにデフォルメされている。そして、図７Ｂに示した全ての情報が表示される従来の地図と比較すると分かるように、図７Ａに示した地図の場合には、「○○駅」から「○○会館」までの経路や目印以外の不必要な情報は表示されない。このため、「○○駅」から「○○会館」までの経路が一目瞭然となる。また、図７Ａに示した地図の場合にも、ユーザーの個人属性情報や個人嗜好情報に応じて、文字の大きさや色調などを調整し、また、ＴＰＯ情報に基づいて、営業していない施設は強調表示しないなどの調整もなされた地図となる。
【００６１】
［携帯通信端末１、地図提供サーバ３の処理について］
次に、図１を用いて説明した携帯通信端末１と、地図提供サーバ３とのそれぞれにおいて実行される処理について、フローチャートを参照しながら説明する。
【００６２】
［携帯通信端末１で実行される地図取得処理］
まず、携帯通信端末１で実行される地図取得処理について説明する。図８は、当該地図取得処理を説明するためのフローチャートである。この図８に示す処理は、地図アプリを用いて行われる処理であり、携帯通信端末１の表示画面に表示される所定のメニュー等から、タッチパネル１０８を通じて当該地図アプリの実行を選択することにより制御部１０２において実行される。
【００６３】
当該地図アプリが制御部１０２において実行されると、制御部１０２は、無線通信部１０１を通じて地図提供サーバ３にアクセスし、必要となる情報の提供を受けて、入力画面の表示処理及び情報の入力受付処理を実行する（ステップＳ１０１）。ステップＳ１０１において制御部１０２は、地図提供サーバ３から図５を用いて説明した入力画面や当該入力画面で用いられるプルダウンメニューを表示するための情報の提供を受ける。この提供を受けた情報を用いて、図５に示した入力画面を表示部１０７に表示し、タッチパネル１０８を通じて携帯通信端末１のユーザーからの操作入力を受け付ける。
【００６４】
そして、制御部１０２は、表示部１０７に表示されている周辺検索用の入力画面（図５Ｂ）やルート検索用の入力画面（図５Ｃ）において、「ＯＫ」ボタンが選択されたか否かを判別する（ステップＳ１０２）。ステップＳ１０２の判別処理において、「ＯＫ」ボタンが操作されていないと判別したときには、初期画面（図５Ａ）において、「終了」ボタンが選択されたか否かを判別する（ステップＳ１０３）。
【００６５】
ステップＳ１０３の判別処理において、「終了」ボタンが選択されていないと判別したときには、ステップＳ１０１からの処理を繰り返し、入力画面に対する操作入力の受け付け処理が続行される。なお、この場合、繰り返し行われることになるステップＳ１０１の処理において、既に地図提供サーバ３から必要な情報が提供され、必要な入力画面が表示されている場合には、重ねてそれらの処理が行われることはない。また、ステップＳ１０３の判別処理において、「終了」ボタンが選択されたと判別したときには、表示部１０７に表示している入力画面を消去し、地図アプリを終了させて、地図アプリの起動前の状態に戻す所定の終了処理を実行する（ステップＳ１０４）。そして、この図８に示す処理を終了する。
【００６６】
一方、ステップＳ１０２の判別処理において、表示部１０７に表示されている周辺検索用の入力画面（図５Ｂ）やルート検索用の入力画面（図５Ｃ）において、「ＯＫ」ボタンが選択されたと判別したとする。この場合、制御部１０２は、要請形成部１０９を制御し、記憶装置１０３の個人属性情報、個人嗜好情報、入力画面を通じて受け付けたＴＰＯ情報を含む地図提供要請を形成し、無線通信部１０１を通じて地図提供サーバ３に送信する（ステップＳ１０５）。
【００６７】
そして、制御部１０２は、無線通信部１０１および地図取得部１１０を制御し、地図提供サーバ３に送信した地図提供要請に応じて、地図提供サーバ３から送信されてくる地図情報を受信して取得する処理を行う（ステップＳ１０６）。そして、ステップＳ１０６において、自機宛ての地図情報を取得したか否かを判別し（ステップＳ１０７）、取得していないと判別したときには、ステップＳ１０６からの処理を繰り返す。また、ステップＳ１０７の判別処理において、自機宛ての地図情報を取得したと判別したときには、制御部１０２の制御の下、地図取得部１１０は取得した地図情報を表示部１０７に供給し、表示部に当該地図情報に応じた地図を表示する（ステップＳ１０８）。
【００６８】
この後、制御部１０２は、タッチパネル１０８を通じて携帯通信端末１のユーザーからの操作入力を受け付け（ステップＳ１０９）、受け付けた操作入力は、地図アプリを終了させる所定の終了操作か否かを判別する（ステップＳ１１０）。ステップＳ１１０の判別処理において、終了操作は受け付けていないと判別したときには、制御部１０２を受け付けた操作入力に応じた処理を行い（ステップＳ１１１）、ステップＳ１０９からの処理を繰り返す。なお、ステップＳ１１１では、例えば、表示部１０７に表示されている地図の拡大表示、縮小表示、表示位置の変更等の処理が行われる。
【００６９】
また、ステップＳ１１０の判別処理において、終了操作を受け付けたと判別したときには、所定の終了処理を実行し（ステップＳ１１２）、この図８に示す処理を終了する。なお、ステップＳ１１２では、終了指示を地図提供サーバ３に送信して、地図提供サーバ３へのアクセスを終了し、地図アプリを終了させて、表示部１０７に表示している地図を消去し、地図アプリの起動前の状態に戻す処理が行われる。
【００７０】
このように、携帯通信端末１は、予め記憶装置１０３に登録されている個人属性情報、個人嗜好情報、更に入力されたＴＰＯ情報からなる個人条件情報を含む地図提供要請を形成し、これを地図提供サーバ３に送信する。そして、当該個人条件情報に応じてパーソナライズされた地図情報を地図提供サーバ３から得て、これを表示部１０７に表示してユーザーに提供する。
【００７１】
［地図提供サーバ３で実行されるパーソナライズされた地図の提供処理］
次に、地図提供サーバ３で実行されるパーソナライズされた地図の提供処理について説明する。図９は、当該地図の提供処理を説明するためのフローチャートである。この図９に示す処理は、地図提供サーバ３の制御部３０２において常時実行されている処理である。なお、以下においては、この実施の形態の携帯通信端末１からのアクセスを受け付ける場合を例にして説明する。しかし、地図提供サーバ３は、不特定多数の携帯電話端末やタブレット端末などの携帯通信端末やパーソナルコンピュータなどの通信端末からのアクセスを受け付けて対応することができる。これらの種々の通信端末からのアクセスを受け付ける場合にも、同様の処理が行われる。
【００７２】
図９に示す処理を実行している地図提供サーバ３の制御部３０２は、通信Ｉ／Ｆ３０１を通じて携帯通信端末１等からのアクセス待ちとなっている（ステップＳ２０１）。ステップＳ２０１の判別処理において、携帯通信端末１からのアクセスを受け付けたと判別したときには、制御部３０２は、入力画面を表示するために必要になる情報等をアクセス元の携帯通信端末１に提供する（ステップＳ２０２）。
【００７３】
そして、制御部３０２は、通信Ｉ／Ｆ３０１を通じて、アクセス元の携帯通信端末１からの要請を受信し、要請受付部３０５をも制御して、地図提供要請等の種々の要請を受け付ける（ステップＳ２０３）。この後、制御部３０２は、アクセス元の携帯通信端末１からの要請を受け付けたか否かを判別し（ステップＳ２０４）、受け付けていないと判別したときには、ステップＳ２０３からの処理を繰り返す。また、ステップＳ２０４の判別処理において、アクセス元の携帯通信端末１からの要請を受け付けたと判別したときには、受け付けた要請は、地図提供要請か否かを判別する（ステップＳ２０５）。
【００７４】
また、ステップＳ２０５の判別処理において、受け付けた要請が地図提供要請であると判別したときには、制御部３０２は条件特定部３０６を制御し、受け付けた地図提供要請に含まれる個人条件情報に基づいて、地図作成条件を特定する（ステップＳ２０６）。この後、制御部３０２は、地図作成部３０７を制御し、条件特定部３０６で特定された地図作成条件に基づいて、地図ＤＢ３０４から必要な情報を抽出し、パーソナライズされた地図を表示するための地図情報を作成する（ステップＳ２０７）。そして、制御部３０２は、地図作成部３０７で作成した地図情報をアクセス元の携帯通信端末１に送信し（ステップＳ２０８）、ステップＳ２０３からの処理を繰り返す。
【００７５】
また、ステップＳ２０５の判別処理において、受け付けた要請が地図提供要請ではないと判別したときには、制御部３０２は受け付けた要請は終了要請か否かを判別する（ステップＳ２０９）。ステップＳ２０９の判別処理において、受け付けた要請が終了要請であると判別すると、制御部３０２は、アクセス元の携帯通信端末１との間の接続を解放するなどの所定の終了処理を実行し（ステップＳ２１０）、ステップＳ２０１からの処理を繰り返す。
【００７６】
また、ステップＳ２０９の判別処理において、受け付けた要請が終了要請ではないと判別すると、制御部３０２は、受け付けた要請に応じた処理を実行し（ステップＳ２１１）、この後、ステップＳ２０３の処理を繰り返す。なお、ステップＳ２１１においては、例えば、携帯通信端末１のユーザーが表示されている地図の表示エリアを変更するなどして、表示すべき地図を形成する地図情報が携帯通信端末１側に存在しなくなった場合に、追加の地図情報を送信するなどの処理が行われる。
【００７７】
このようにして、地図提供サーバ３は、携帯通信端末１からの地図提供要請に応じて、パーソナライズした地図を表示するための地図情報を形成し、これを要求元の携帯通信端末１に提供する。
【００７８】
［実施の形態の効果］
上述した実施の形態の個人用地図作成装置によれば、個人属性情報、個人嗜好情報、ＴＰＯ情報からなる個人条件情報に応じてパーソナライズした地図を作成し、これを出力してユーザーに提供できる。これにより、個人の特徴（属性）、個人の嗜好、さらにはＴＰＯ情報をも考慮して最適化（パーソナライズ）した地図をユーザーに提供できる。すなわち、個々のユーザーに提供する地図を、個々人の属性や嗜好、更にはその時のＴＰＯに合わせて、最も見やすく分かり易い地図テイストにカスタマイズできる。ユーザーは、自分の特徴、嗜好、ＴＰＯに応じて調整され、使い勝手のよい地図を利用できる。
【００７９】
［変形例］
なお、上述した実施の形態では、パーソナライズした地図を出力するための地図情報は、地図提供サーバ３側において形成するものとして説明したが、これに限るものではない。パーソナライズした地図を出力するための地図情報を携帯通信端末１側で作成する構成とすることもできる。具体的には、地図提供サーバ３は、従来の地図提供サーバと同様に、要求された場所（エリア）のフルスペックの地図情報を携帯通信端末１に提供する構成とする。
【００８０】
一方、携帯通信端末１は、目的とする場所（エリア）の地図情報を地図提供サーバに要求して取得する機能を備える。さらに、携帯通信端末１は、登録されている個人属性情報、個人嗜好情報、入力されたＴＰＯ情報と、登録されている地図作成条件テーブルの情報に基づいて、地図作成条件を特定する機能を備える。さらに、携帯通信端末１は、特定した地図作成条件に従って、地図提供サーバ３から提供された地図情報から不要な情報を削除するなどして、パーソナライズした地図を形成するための地図情報を作成する機能を備える。これにより、地図提供サーバ３は、従来の地図提供サーバをそのまま利用し、携帯通信端末１側でパーソナライズした地図を作成できる。
【００８１】
より具体的に示せば、携帯通信端末１が、要請形成部１０９、地図取得部１１０、要請受付部３０５、条件特定部３０６、地図作成部３０７の各機能を備える。しかし、要請形成部１０９はパーソナライズされていない地図情報の提供を要請し、地図取得部１１０はパーソナライズされていない地図情報を取得する機能とする。そして、要請受付部３０５が個人条件情報を形成し、条件特定部３０６が当該個人条件情報と記憶装置１０３に登録されている地図作成条件テーブルに基づいて地図作成条件を特定する。
【００８２】
そして、地図作成部３０７が、地図提供サーバから提供を受けた地図情報から、地図作成条件に従って不要な情報を削除するなどの処理をおこなって、パーソナライズされた地図を出力するための地図情報を作成する。この作成した地図情報を用いて、表示部１０７にパーソナライズされた地図を表示する。このようにすれば、携帯通信端末１において、地図提供サーバから提供を受けた地図情報に基づいて、パーソナライズされた地図を出力するための地図情報を形成できる。
【００８３】
また、上述した地図提供サーバ３の地図ＤＢ３０４と同様の地図データベースを備えるパーソナルコンピュータの場合には、携帯通信端末１と地図提供サーバ３との両方が備える機能を設けることができる。これにより、いわゆるスタンドアロンの個人用地図作成装置を構成できる。この場合には、地図提供サーバから地図情報を取得する必要もない。
【００８４】
また、上述した実施の形態においては、個人属性情報と、個人嗜好情報と、個人のＴＰＯ情報とからなる個人条件情報（パーソナライズされた地図を作成するための条件情報）を用いるものとした。このような個人条件情報を用いることにより、適切にパーソナライズした地図の作成が実現できる。しかし、これに限るものではない。例えば、個人属性情報と、個人嗜好情報と、個人のＴＰＯ情報との少なくとも１つ以上を含む情報を個人条件情報とすることもできる。
【００８５】
例えば、個人属性情報だけを用いるようにした場合には、個人属性情報に特化してパーソナライズした地図を作成できる。また、個人属性情報とＴＰＯ情報とを用いるようにした場合には、個人の嗜好についての条件が反映されないだけで、個人属性情報とＴＰＯ情報とに応じてパーソナライズした地図を作成することができる。同様に、個人嗜好情報だけを用いたり、個人嗜好情報とＴＰＯ情報とを用いたりするなど、可能な範囲で用いる情報を組み合わせることができる。また、ＴＰＯ情報の内、時間に関する情報（Ｔ）と、場所に関する情報（Ｐ）と、場合に関する情報（Ｏ）の内の全部を用いずに、いずれか１つ以上を用いるようにすることももちろんできる。
【００８６】
また、上述した実施の形態においては、「現在時刻」を示す情報は時間制御部１０５から取得し、「場所」を示す情報はＧＰＳ部１０６から取得し、「場合（目的）」を示す情報はユーザー自身が入力するようにした。しかし、これに限るものではない。例えば、携帯通信端末１に予定（スケジュール）を登録している場合には、そのスケジュール情報に基づいて、「場合（目的）」を特定してもよい。また、スケジュールが登録されていない場合でも、過去のスケジュール情報から、「場合（目的）」を予測し、ユーザーに提示することもできる。例えば、過去のスケジュール情報から、土曜日の午前中に書店に出かけていることが多い傾向が分かっているときには、土曜日の午前中における「場合（目的）」を「ショッピング（本）」と予測することが可能である。このように、「場合（目的）」についても、スケジュールデータ等の登録情報に基づいて、自動入力が可能である。
【００８７】
また、上述もしたが、携帯通信端末１は、高機能携帯電話端末の他、タブレット型端末やノート型パーソナルコンピュータであってもよいし、デスクトップ型パーソナルコンピュータなどの設置型の通信端末装置であってもよい。
【００８８】
また、上述した実施の形態において、個人条件情報に応じて特定される地図作成条件に基づいて、以下の処理を行うことを説明した。すなわち、  
（１）移動手段が徒歩の場合、一方通行矢印や高さ制限表示はしない。  
（２）車、自転車、バイクの場合は建物内、地下街、公園内道の表示はしない。  
（３）昼間のショッピングが目的の場合、居酒屋やバーは目立たせない（強調表示しない）。  
（４）歩行者にとって駅や地下鉄の出入り口は目立たせる（強調表示する）。  
（５）車、自転車、バイクの場合には、駅や地下鉄の出入り口は表示しない。  
（６）特に目的が明確な場合は目的地と曲がり角、目印以外を表示しないデフォルメ処理を行う。などである。
【００８９】
しかし、これに限るものではない。例えば、個人属性情報、個人嗜好情報、ＴＰＯ情報により特定される地図作成条件に基づいて、字体、字の大きさ、色（濃度、彩度、明度）、建物や事物の色などで目的別に強弱をつけるなどのアレンジを行うこともできる。すなわち、個人属性情報、個人嗜好情報、ＴＰＯ情報を総合して、地図表示テイストに反映させる種々のアレンジ処理やデフォルメ処理等を行うことができる。
【００９０】
また、上述した実施の形態においては、例えば、図４を用いて説明したように、地図作成条件テーブルにおいては、目的とする店舗や施設以外の事物を非表示とすることにとり、目的とする店舗や施設が目立つようにしたがこれに限るものではない。地図情報を処理する観点から考えて、目的とする店舗や施設以外の事物を地図上から削除する処理を行ってももちろんよい。また、目的とする店舗や施設以外の事物も地図上に表示するが、目的とする店舗や施設については強調表示するようにしてもよい。また、地図情報から必要な情報を抽出して地図を作成する処理を行う場合には、目的とする店舗や施設については必ず残すように処理してもよい。
【００９１】
このように、パーソナライズされた地図情報を作成するために行われる処理には、以下の処理が含まれる。（１）目的とする店舗や施設以外の事物を非表示にする。（２）目的とする店舗や施設以外の事物を地図上から削除する。（３）目的とする店舗や施設については強調表示する。（４）目的とする店舗や施設については必ず残す。といった種々の処理が含まれ、これらを組み合わせて用いてもよい。
【００９２】
［その他］
また、上述した実施の形態の説明からも分かるように、個人用地図作成装置の要請形成手段の機能は、携帯通信端末１の制御部１０２、記憶装置１０３、表示部１０７、タッチパネル１０８、要請形成部１０９が協働して実現している。また、個人用地図作成装置の条件特定手段の機能は、地図提供サーバ３の要請受付部３０５と条件特定部３０６とが共同して実現している。また、個人用地図作成装置の地図作成手段の機能は、地図提供サーバ３の地図作成部３０７が実現し、出力手段としての機能は、携帯通信端末１の地図取得部１１０と表示部１０７とが協働して実現している。
【００９３】
また、図８に示したフローチャートの処理が、携帯通信端末１で実行されるこの発明の個人用地図取得プログラムに対応する。また、図９に示したフローチャートの処理が、地図提供サーバ３で実行されるこの発明の個人用地図提供プログラムに対応する。
【００９４】
また、携帯通信端末１と地図提供サーバ３とがネットワークを通じて接続されて構成される個人用地図作成装置の携帯通信端末１において、パーソナライズした地図を出力する地図情報を形成する場合には、以下に示す構成のプログラムを作成し、当該携帯通信端末１において実行可能にしておけばよい。
【００９５】
すなわち、（１）要請形成手段が、ユーザーからの指示入力に応じて、ユーザーの個人条件情報を含む地図提供要請を形成する要請形成ステップと、（２）前記地図提供要請を受け付けて、これに含まれる前記個人条件情報に基づき、条件特定手段が地図作成条件を設定する条件特定ステップと、（３）要請送信手段が、目的とする地図データの提供要請を前記地図提供装置に送信する要請送信ステップと、（４）前記地図提供装置から送信されてくる目的とする地図データを、地図受信手段が受信する地図受信ステップと、（５）地図作成手段が、受信した前記地図データから、前記地図作成条件に従って不要な地図データを削除して、個人用地図を作成する地図作成ステップと、を実行するプログラムを作成することにより、携帯通信端末１に搭載されたコンピュータで実行される個人用地図作成プログラムを実現できる。
【符号の説明】
【００９６】
１…携帯通信端末、１０１…無線通信部、１０２…制御部、１０３…記憶装置、１０４…操作部、１０５…時間制御部、１０６…ＧＰＳ部、１０６Ａ…ＧＰＳアンテナ、１０７…表示部、１０８…タッチパネル、１０９…パーソナライズ地図提供要請形成部（要請形成部）、１１０…パーソナライズ地図取得部（地図取得部）、１１１…通話処理部、１１１Ｒ…受話器（スピーカ）、１１１Ｓ…送話器（マイクロホン）、２…ネットワーク、３…地図提供サーバ、３０１…通信Ｉ／Ｆ、３０２…制御部、３０３…記憶装置、３０４…地図ＤＢ、３０５…パーソナライズ地図提供要請受付部（要請受付部）、３０６…パーソナライズ地図作成条件特定部（条件特定部）、３０７…パーソナライズ地図作成部（地図作成部）
【図１】
2014021177.tif 000003
【図２】
2014021177.tif 000004
【図３】
2014021177.tif 000005
【図４】
2014021177.tif 000006
【図５】
2014021177.tif 000007
【図６】
2014021177.tif 000008
【図７】
2014021177.tif 000009
【図８】
2014021177.tif 000010
【図９】
2014021177.tif 000011